(57)【特許請求の範囲】
【請求項１】
冷蔵室と、該冷蔵室に断熱壁を介して隣接する冷凍室とを備える冷蔵庫であって、
前記冷蔵室には冷気が供給され、
前記冷蔵室における前記冷凍室に隣接する壁に前記冷凍室内の冷気による冷却を緩和す
る冷却緩和部が設けられ、
前記冷却緩和部は、前記冷蔵室に供給された空気を吸入する吸入口と、前記吸入口の反
対側にて空気を排出する排出口とを備えたダクトによって構成されており、
前記ダクトは前記冷蔵室の底面に設けられており、
前記排出口は前記ダクト内の空気を下側に戻す戻りダクトに連通すること
を特徴とする冷蔵庫。
【請求項２】
冷蔵室と、該冷蔵室に断熱壁を介して隣接する冷凍室とを備える冷蔵庫であって、
前記冷蔵室には冷気が供給され、
前記冷蔵室における前記冷凍室に隣接する壁に前記冷凍室内の冷気による冷却を緩和す
る冷却緩和部が設けられ、
前記冷却緩和部は、前記冷蔵室に供給された空気を吸入する吸入口と、前記吸入口の反
対側にて空気を排出する排出口とを備えたダクトによって構成されており、
前記吸入口は前記ダクトの一面に設けてあり、
前記ダクトの前記一面に交差する他面に空気を吸入する第２の吸入口が設けてあるこ
と
を特徴とする冷蔵庫。
【請求項３】
前記冷蔵室よりも温度が低く設定される第２の冷蔵室を備え、
前記第２の冷蔵室を冷却した後の冷気が前記冷蔵室に供給されること
を特徴とする請求項１又は２に記載の冷蔵庫。
【請求項４】
前記ダクトの内側にて、前記吸入口及び排出口の間に空気を案内するリブが延設して
あることを特徴とする請求項１から３のいずれか一つに記載の冷蔵庫。
【発明の詳細な説明】
【技術分野】
【０００１】
本発明は、収容されたものを冷蔵又は冷凍する冷蔵庫に関する。
【背景技術】
【０００２】
冷蔵室及び冷凍室を備える冷蔵庫は利便性が高いことから、一般に普及している。近年、冷蔵庫は、室温を２〜４℃程度に設定した冷蔵室と、室温を７〜１０℃程度に設定した冷蔵室（いわゆる野菜室）とを備えることが多い。野菜室は、前記冷蔵室よりも高めに室温を設定することによって、冷蔵されている野菜の品質低下を冷蔵室よりも効果的に抑制することができる。
【０００３】
野菜室及び冷凍室が隣接する場合、冷凍室内の冷気によって、野菜室内が過剰に冷却されることを防止する為に、断熱材（例えばウレタン発泡材）を有する断熱壁によって両室は隔離される（例えば特許文献１〜３参照）。
【先行技術文献】
【特許文献】
【０００４】
【特許文献１】特許第３３５０４７２号公報
【特許文献２】特許第３５８５７５４号公報
【特許文献３】特開２０１３−１４００１３号公報
【発明の概要】
【発明が解決しようとする課題】
【０００５】
しかし断熱壁を設けるだけでは不十分な場合があり、冷凍室内の冷気によって、野菜室内が過剰に冷却され、例えば零下になることがある。この場合、野菜室に冷蔵されていた野菜が凍結し、冷蔵されている野菜の品質が低下する。
【０００６】
最近では食料品店において多数の冷凍食品を購入するユーザが増加しており、またユーザの利便性を高めるために冷蔵庫は製氷のための冷凍室（製氷室）を備えることが多い。そのため冷蔵庫の設計時において、野菜室の占有空間を削減し、野菜室の周囲に冷凍室及び製氷室を配置することが考えられる。
【０００７】
例えば野菜室の底面側に冷凍室を配置し、野菜室の右又は左側に製氷室を配置することが考えられる。この場合、野菜室における冷凍室及び製氷室夫々に隣接する二つの壁面が冷却されるので、単一の壁面のみが冷却される場合よりも、野菜室内が過剰に冷却される可能性がより一層高まる。
【０００８】
本発明は斯かる事情に鑑みてなされたものであり、野菜室（冷蔵室）内が過剰に冷却されることを防止することができる冷蔵庫を提供することを目的とする。
【課題を解決するための手段】
【０００９】
本発明に係る冷蔵庫は、冷蔵室と、該冷蔵室に断熱壁を介して隣接する冷凍室とを備える冷蔵庫であって、前記冷蔵室には冷気が供給され、前記冷蔵室における前記冷凍室に隣接する壁に前記冷凍室内の冷気による冷却を緩和する冷却緩和部が設けられ、前記冷却緩和部は、前記冷蔵室に供給された空気を吸入する吸入口と、前記吸入口の反対側にて空気を排出する排出口とを備えたダクトによって構成されており、前記ダクトは前記冷蔵室の底面に設けられており、前記排出口は前記ダクト内の空気を下側に戻す戻りダクトに連通することを特徴とする。
【００１０】
本発明においては、冷凍室に隣接する冷蔵室の壁に冷却緩和部を設けてあるので、壁面が冷却されたとしても、冷蔵室内の室温が過剰に低下することはない。
【００１１】
本発明に係る冷蔵庫は、冷却器によって冷却された空気が循環する循環経路上に前記冷蔵室を配置してあり、前記冷却緩和部は、真空断熱材、ヒータ又は循環する空気が通流するダクトによって構成されていることを特徴とする。
【００１２】
本発明においては、真空断熱材、ヒータ又はダクトを、冷凍庫に隣接する冷蔵庫の壁面に設けることによって、冷蔵庫における過剰な室温低下の防止を実現する。
【００１３】
本発明に係る冷蔵庫は、前記ダクトの一面に空気を吸入する吸入口が設けてあり、前記吸入口の反対側にて、空気を排出する排出口が前記冷蔵室に設けてあることを特徴とする。
【００１４】
本発明においては、冷凍室からの冷熱の伝達により隣接する冷蔵室側壁面の温度低下を、ダクトを構成することにより冷熱の伝達経路を増やし、かつ吸入口から吸入された空気が冷凍室からの熱伝達や熱伝導によって冷却されても、ダクト内の空気の流れにより空気は排出口から排出され、入れ替わるので、ダクト内の温度は過剰に低下することはなく、冷蔵室の室温の過剰な低下が抑制される。
【００１５】
本発明に係る冷蔵庫は、前記ダクトの前記一面に交差する他面に空気を吸入する第２の吸入口が設けてあることを特徴とする。
【００１６】
本発明においては、吸入口を増加させることによって、ダクト内に吸入される空気に対する抵抗が低減し、空気がダクト内を円滑に通流する。
【００１７】
本発明に係る冷蔵庫は、前記ダクトの内側にて、前記吸入口及び排出口の間に空気を案内するリブが延設してあることを特徴とする。
【００１８】
本発明においては、吸入口から排出口までリブに沿って空気が円滑に通流する。
【発明の効果】
【００１９】
本発明に係る冷蔵庫にあっては、冷凍室に隣接する冷蔵室の壁面に冷却緩和部を設けてあるので、壁面が冷却されたとしても、冷蔵室内の室温が過剰に低下することはなく、冷蔵室内に冷蔵された野菜等の凍結を防止することができる。
【図面の簡単な説明】
【００２０】
【図１】実施の形態１に係る冷蔵庫を略示する正面図である。
【図２】図１に示すＩＩ−ＩＩ線を切断線とした略示断面図である。
【図３】図１に示すＩＩＩ−ＩＩＩ線を切断線とした略示断面図である。
【図４】冷蔵庫の内部構造を略示する正面図である。
【図５】野菜室の構成を示す模式的斜視図である。
【図６】冷蔵庫内における空気の循環を説明する図２に対応した説明図である。
【図７】冷蔵庫内における空気の循環を説明する図３に対応した説明図である。
【図８】冷蔵庫内における空気の循環を説明する図４に対応した説明図である。
【図９】実施の形態２に係る冷蔵庫のダクトの構成を略示する斜視図である。
【図１０】実施の形態３に係る冷蔵庫のダクトの構成を略示する斜視図である。
【発明を実施するための形態】
【００２１】
（実施の形態１）
以下本発明を実施の形態１に係る冷蔵庫１を示す図面に基づいて説明する。図１は冷蔵庫１を略示する正面図、図２は図１に示すＩＩ−ＩＩ線を切断線とした略示断面図、図３は図１に示すＩＩＩ−ＩＩＩ線を切断線とした略示断面図、図４は冷蔵庫１の内部構造を略示する正面図である。なお図４において、右扉６ａ、左扉６ｂ、野菜室ケース４１、製氷室ケース３１、第１冷凍室ケース１１及び第２冷凍室ケース２１の記載は省略されている。また以下の説明では図に示された上下左右前後を使用する。
【００２２】
冷蔵庫１は正面が開口した縦長直方体状の外箱１ａと、該外箱１ａの内側に設けてあり、正面が開口した縦長直方体状の内箱１ｂとを備える。外箱１ａ及び内箱１ｂの間には発泡断熱材１ｃ、例えばウレタン発泡材が充填されている。
【００２３】
内箱１ｂの上部及び下部夫々に略水平な上断熱壁２及び下断熱壁３が設けてある。上断熱壁２は内箱１ｂの後面及び左右側面まで延びており、内箱１ｂ内の空間を上下に区切っている。下断熱壁３の右部分は内箱１ｂの後面及び右側面まで延びており、左部分の後部には開口３ａが設けてある。開口３ａによって、下断熱壁３の上下の空間は連通している。
【００２４】
上断熱壁２及び下断熱壁３の間に、内箱１ｂの左側面から略水平に所定距離突出した部分断熱壁４が設けてある。部分断熱壁４の左右寸法は内箱１ｂの左右寸法の４０％程度である。部分断熱壁４の前後寸法は左右寸法の２５％程度であり、部分断熱壁４の後端面から内箱１ｂの後面まで開口４ａが形成されている。開口４ａによって、部分断熱壁４の上下の空間は連通している。
【００２５】
部分断熱壁４の右端部には、略垂直な縦断熱壁５が設けてある。縦断熱壁５は、下断熱壁３の右部分（非開口部分）の上に位置する。縦断熱壁５は、内箱１ｂの後面、上断熱壁２及び下断熱壁３の右部分まで延びており、上断熱壁２及び下断熱壁３の間において、内箱１ｂ内の空間を左右に区切っている。上断熱壁２、下断熱壁３、部分断熱壁４及び縦断熱壁５夫々の内部には発泡断熱材、例えばウレタン発泡材が充填されている。
【００２６】
内箱１ｂにおいて、上断熱壁２よりも上側の部分は収容された物体を冷蔵する冷蔵室６を形成している。冷蔵室６の室温は例えば２〜４℃程度に設定される。また下断熱壁３よりも下側の部分は収容された物体を冷凍する第１冷凍室１０を形成している。第１冷凍室１０の室温は例えば−１８℃以下になるように設定される。
【００２７】
内箱１ｂにおいて、下断熱壁３よりも上側且つ部分断熱壁４よりも下側であって、縦断熱壁５よりも左側の部分は、収容された物体を冷凍する第２冷凍室２０を形成している。また部分断熱壁４よりも上側且つ上断熱壁２よりも下側であって、縦断熱壁５よりも左側の部分は氷を製造する製氷室３０を形成している。第２冷凍室２０及び製氷室３０の室温は例えば−１８℃以下になるように設定される。なお製氷室３０は冷凍室の一種である。
【００２８】
下断熱壁３よりも上側且つ上断熱壁２よりも下側であって、縦断熱壁５よりも右側の部分は、野菜等の物体を冷蔵する野菜室４０を形成している。野菜室４０の室温は例えば７〜１０℃程度に設定される。なお野菜室４０は冷蔵室の一種である。
【００２９】
冷蔵室６内の上部には複数（本実施例においては三つ）の板状の収容棚７、７、７が上下に並設してある。冷蔵室６の左右側面夫々に複数の収容棚７に対応した前後に延びる案内レール７ａが設けてある。該案内レール７ａに、収容棚７は前後に摺動可能に設けられている。収容棚７は冷蔵室６の後側に位置し、収容棚７の前側には、後述する収納ポケット６ｃが配置される所定の空間が確保されている。
【００３０】
冷蔵室６の底部右側には右チルド室８ａが設けてあり、該右チルド室８ａの左側には左チルド室８ｂが設けてある。該左チルド室８ｂの左側には製氷室３０に供給する水を貯留するタンク９が設けてある。右チルド室８ａ、左チルド室８ｂ及びタンク９は冷蔵室６の底部後側に位置する。冷蔵室６の底部前側には、後述する収納ポケット６ｃが配置される所定の空間が確保されている。また冷蔵室６の底部の前側部分に、上断熱壁２を上下に貫通しており、冷蔵室６内の空気を下方に通流させるための通流孔２ａが設けてある。
【００３１】
冷蔵室６の前右縁部及び前左縁部に、上下方向を回転軸方向として回動可能な右扉６ａ及び左扉６ｂが夫々設けてある。右扉６ａ及び左扉６ｂは上下に長い矩形状をなし、右扉６ａ及び左扉６ｂ夫々の上下寸法は冷蔵室６の上下寸法よりも若干大きい。
また右扉６ａの左右寸法は左扉６ｂの左右寸法よりも若干大きく、右扉６ａ及び左扉６ｂの左右寸法の合計は冷蔵室６の左右寸法よりも若干大きい。右扉６ａ及び左扉６ｂによって、冷蔵室６の正面開口部分は覆われる。右扉６ａ及び左扉６ｂの縁部分にはパッキンが設けてあり、右扉６ａ及び左扉６ｂは冷蔵室６の正面開口部分を気密に閉じる。
【００３２】
右扉６ａ及び左扉６ｂ夫々の後面には、物体（例えば瓶、缶又はチューブ容器入りの食品等）を収納する複数（本実施例においては三つ）の収納ポケット６ｃ、６ｃ、６ｃが設けてある。
収納ポケット６ｃは上側が開口した箱形をなす。最下位置にある収納ポケット６ｃは右扉６ａ及び左扉６ｂが閉じている場合に、冷蔵室６の底部前側の空間に位置し、最下位置にある収納ポケット６ｃよりも上側の収納ポケット６ｃは、収容棚７の前側の空間に位置する。
【００３３】
第１冷凍室１０の後部には、後述する排出口４０ａに連通し、野菜室４０内の空気を下側に戻す戻りダクト１４が設けてある。戻りダクト１４は上下に延びている。第１冷凍室１０には、上側が開口した箱形の第１冷凍室ケース１１が前後に摺動可能に設けられている。第１冷凍室１０の左右側面夫々に、前後に延びた案内溝１０ａが設けてあり、第１冷凍室ケース１１の左右側面には、前記案内溝１０ａ内を移動する被案内部（図示略）が設けてある。
【００３４】
第２冷凍室２０には、上側が開口した箱形の第２冷凍室ケース２１が前後に摺動可能に設けられている。第２冷凍室２０の左側面に、前後に延びた案内溝２０ａが設けてあり、第２冷凍室ケース２１の左側面には、前記案内溝２０ａ内を移動する被案内部（図示略）が設けてある。
【００３５】
製氷室３０には上側が開口した箱形の製氷室ケース３１が前後に摺動可能に設けられている。製氷室３０の左側面に、前後に延びた案内溝３０ａが設けてあり、製氷室ケース３１の左側面には、前記案内溝３０ａ内を移動する被案内部（図示略）が設けてある。製氷室３０はタンク９の下側に位置する。製氷室ケース３１の上部には製氷皿３２が設けてあり、タンク９から製氷皿３２に適宜水が供給され、氷が製造される。
【００３６】
野菜室４０には上側が開口した箱形の野菜室ケース４１が前後に摺動可能に設けられている。なお野菜室４０の構成については後に詳述する。
【００３７】
図３に示すように、第１冷凍室１０、第２冷凍室２０、製氷室３０及び冷蔵室６の後部には上下に延びた後面板５０が設けてあり、該後面板５０と内箱１ｂとの間に冷気通路５１が形成されている。該冷気通路５１内において、第１冷凍室１０の後側には冷却器１２が設けてある。
【００３８】
該冷却器１２の下側に、冷却器１２に付着した霜を除去するためのガラス管ヒータ１３が設けてある。冷却器１２の上側には、第１冷凍室１０、第２冷凍室２０及び製氷室３０に冷気を送風するための冷凍室送風機５３が設けてある。冷却器１２及びガラス管ヒータ１３と後面板５０との間には、冷気通路５１を前後に分離する分離板５４が設けてある。
【００３９】
冷気通路５１内において、上断熱壁２の付近に冷気通路５１を上下に区切る隔壁部５５が設けてある。隔壁部５５には上下に貫通した通気孔５５ａが設けてある。隔壁部５５の上側には、通気孔５５ａを開閉する電動式のダンパ５６が設けてある。ダンパ５６の上側には冷蔵室６に冷気を送風するための冷蔵室送風機５７が設けてある。冷気通路５１には、第１冷凍室１０、第２冷凍室２０及び製氷室３０夫々に対応する位置に冷凍用冷気供給孔５０ａが設けてあり、冷蔵室６に対応する位置に冷気を供給する冷蔵用冷気供給孔５０ｂが設けてある。
【００４０】
冷却器１２は、第１冷凍室１０、第２冷凍室２０及び製氷室３０の近傍に位置する。そのため、後面板５０及び分離板５４を介して、第１冷凍室１０、第２冷凍室２０及び製氷室３０の熱が冷却器１２に奪われ、第１冷凍室１０、第２冷凍室２０及び製氷室３０が効率よく間接冷却され、冷却効率が向上されるようになっている。
【００４１】
冷蔵室６の上部には上面板５０ｃが設けてあり、該上面板５０ｃと内箱１ｂとの間に、前記冷気通路５１に連通する上側冷気通路５１ａが形成されている。上側冷気通路５１ａにも冷蔵室６に冷気を供給する冷蔵用冷気供給孔５０ｂが設けてある。
【００４２】
第１冷凍室１０の底部後方には機械室６０が設けられている。機械室６０内には圧縮機６１が配置されている。圧縮機６１には凝縮器、膨張器（いずれも図示略）及び冷却器１２が接続されている。圧縮機６１の駆動によりイソブタン等の冷媒が循環して冷凍サイクルが運転される。これにより、冷却器１２が冷凍サイクルの低温側となる。
【００４３】
機械室６０の後側には電装部６２が設けられる。電装部６２は後面側が開口した電装ボックス（図示略）を有し、電装ボックスは金属板の絞り加工により形成され、放熱面積が大きく電装部６２品の発熱を容易に放熱できる。
【００４４】
電装部６２には圧縮機６１、冷凍室送風機５３、冷蔵室送風機５７及びダンパ５６等を制御する制御回路を有した制御基板を含む電装部品が内装される。電装部６２を機械室６０内に設置したので、冷蔵室６の後側に設置した場合に比して使用頻度の高い冷蔵室６の容積を広く確保し、冷蔵庫１の容積効率を向上して利便性を向上させることができる。
【００４５】
制御回路からの指令によって、圧縮機６１、冷凍室送風機５３及び冷蔵室送風機５７は駆動又は停止し、またダンパ５６は通気孔５５ａを開閉する。
【００４６】
次に野菜室４０の構成について説明する。図５は野菜室４０の構成を示す模式的斜視図である。図２及び図５に示すように、野菜室４０の左側面（縦断熱壁５）には、前後に延設されており、野菜室ケース４１を案内する案内レール４２が設けてある。案内レール４２は、前側が開口した側面視Ｕ形をなす。また野菜室４０の左側面において、案内レール４２の上側及び下側夫々に薄型のヒータ４３が設けてある。制御回路からの指令に基づいて、ヒータ４３は駆動又は停止する。
【００４７】
野菜室４０の底面後部右側に、上下に貫通しており、空気を下方に排出する排出口４０ａが設けてある。野菜室４０の底面には、野菜室４０の底面全体を覆うダクト４４が設けてある。ダクト４４は平面視矩形の薄型箱状をなし、その底面は開口している。ダクト４４の前面には空気を吸入する複数（本実施例においては三つ）の前面吸入口４４ａ、４４ａ、４４ａが左右に並設してある。
【００４８】
ダクト４４の内側には、前面吸入口４４ａ及び排出口４０ａの間に延設されており、空気を案内する複数（本実施例においては二つ）のリブ４５、４５が設けてある。リブ４５は、ダクト４４の前端部における前面吸入口４４ａ同士の間の部分から排出口４０ａに向けて延びている。図５の矢印にて示すように、前面吸入口４４ａから吸い込まれた空気はリブ４５に案内され、排出口４０ａに至る。
【００４９】
野菜室ケース４１の左側面の外側にはローラ又は摺動子等の移動部（図示略）が設けてあり、移動部はＵ形をなす案内レール４２の内側を移動する。野菜室ケース４１は移動部の移動によって、野菜室４０内を円滑に前後に移動する。野菜室ケース４１はダクト４４の上側に位置する。すなわち野菜室４０の底面と野菜室ケース４１の底面との間にはダクト４４が設けてある。
【００５０】
次に冷蔵庫１内における空気の循環を説明する。図６は冷蔵庫１内における空気の循環を説明する図２に対応した説明図、図７は冷蔵庫１内における空気の循環を説明する図３に対応した説明図、図８は冷蔵庫１内における空気の循環を説明する図４に対応した説明図である。図６〜図８に記載された矢印は空気の流れを示している。
【００５１】
冷却器１２によって冷却された空気（冷気）は、冷凍室送風機５３の駆動によって、上方及び前方に送出される。送出された冷気は冷気通路５１を通流し、冷凍用冷気供給孔５０ａを通って、第１冷凍室１０、第２冷凍室２０及び製氷室３０に供給される。冷凍室送風機５３から送出された直後の冷気はマイナス４０℃程度であり、第１冷凍室１０、第２冷凍室２０及び製氷室３０は冷凍室送風機５３からに近いので、第１冷凍室１０、第２冷凍室２０及び製氷室３０に貯蔵された物体は冷凍される。
【００５２】
ダンパ５６が開いている場合、冷蔵室送風機５７の駆動によって、冷気は上側の冷気通路５１を上方に通流し、冷蔵用冷気供給孔５０ｂを通って、冷蔵室６内に供給される。また上側冷気通路５１ａにも冷気は送出され、冷蔵用冷気供給孔５０ｂを通って、冷蔵室６内に供給される。上側冷気通路５１ａの冷蔵用冷気供給孔５０ｂを通って冷蔵室６内に供給された冷気は、収納ポケット６ｃに向けて移動し、収納ポケット６ｃに収容された物体を効率良く冷却する。冷蔵室６に供給される冷気は、第１冷凍室１０、第２冷凍室２０及び製氷室３０に供給される冷気よりも温度が高くなっており、冷蔵室６の室温は２〜４℃程度になる。
【００５３】
冷蔵室６内に供給された冷気は、冷蔵室６の底部に設けた通流孔２ａを通って野菜室４０に至る。野菜室４０に供給される冷気は、冷蔵室６に供給される冷気よりも温度が高くなっており、野菜室４０の室温は７〜１０℃程度になる。野菜室４０に供給された冷気は、前面吸入口４４ａを通って、リブ４５に沿ってダクト４４内を通流し、排出口４０ａを通って戻りダクト１４を通流する。戻りダクト１４を通流した冷気は冷却器１２に至る。
【００５４】
冷気通路５１、上側冷気通路５１ａ、冷蔵用冷気供給孔５０ｂ、冷蔵室６、野菜室４０、通流孔２ａ、ダクト４４及び戻りダクト１４等によって、冷蔵用の冷気の循環経路が構成されている。換言すれば、冷蔵用の冷気の循環経路上に、冷気通路５１、上側冷気通路５１ａ、冷蔵用冷気供給孔５０ｂ、冷蔵室６、野菜室４０、通流孔２ａ、ダクト４４及び戻りダクト１４等が位置する。
【００５５】
第１冷凍室１０内の冷気によって、下断熱壁３の温度が低下し、野菜室４０の底面付近の気温も低下する。しかし、前述したように、ダクト４４は野菜室４０の底面に位置し、野菜室４０の底面と野菜室ケース４１の底面との間にダクト４４が設けてある。そのため、野菜室４０の底面付近の気温（ダクト４４内の気温）が下がったとしても、ダクト４４内の冷気は排出口４０ａを通って戻りダクト１４に移動する。野菜室４０の底面付近の空気は直ちに排出口４０ａに移動し、野菜室４０内に拡散しない。
【００５６】
ダクト４４内の冷気（第１冷凍室１０内の冷気によって冷却された空気）によってダクト４４の上面の温度が低下したとしても、ダクト４４内の冷気は排出口４０ａから排出されるので、ダクト４４内に留まらない。そのためダクト４４の上面の温度低下は抑制され、ダクト４４の上面の温度が零下になることはなく、野菜室４０の底面付近の空気が野菜室４０に収容された野菜を凍結させることを防ぐことができる。
【００５７】
第２冷凍室２０及び製氷室３０内の冷気によって、野菜室４０の左側面（第２冷凍室２０及び製氷室３０に隣接する側面）の温度が低下し、野菜室４０の左側面付近の気温も低下する。しかし、前述したように、ヒータ４３が野菜室４０の左側面に設けてあるので、ヒータ４３を駆動させることによって、野菜室４０の左側面の温度を上昇させることができる。従って、野菜室４０の左側面付近の気温の低下を防止し、野菜室４０の左側面付近の空気が野菜室４０に収容された野菜を凍結させることを防ぐことができる。
【００５８】
製氷室３０内の冷気は開口４ａを通って第２冷凍室２０に移動し、第２冷凍室２０内の冷気は開口３ａを通って第１冷凍室１０に移動する。第１冷凍室１０の冷気は下方に移動し、第１冷凍室ケース１１の底面及び内箱１ｂの間の隙間を通り、分離板５４と内箱１ｂとの間に形成された通路を通って冷却器１２に至る。
【００５９】
冷気通路５１、冷凍用冷気供給孔５０ａ、製氷室３０、第１冷凍室１０及び第２冷凍室２０等によって、冷凍用の冷気の循環経路が構成されている。換言すれば、冷凍用の冷気の循環経路上に、冷気通路５１、冷凍用冷気供給孔５０ａ、製氷室３０、第１冷凍室１０及び第２冷凍室２０等が位置する。
【００６０】
実施の形態１に係る冷蔵庫１にあっては、製氷室３０及び第２冷凍室２０に隣接する野菜室４０の左側面にヒータ４３を、第１冷凍室１０に隣接する野菜室４０の底面にダクト４４を設けているので、野菜室４０の二つの壁面が冷却されたとしても、野菜室４０内の室温が過剰に低下することを防止でき、野菜室４０内に冷蔵された野菜等の凍結を防止することができる。
【００６１】
また吸入口から吸入されたダクト４４内の空気が第１冷凍室１０の冷気によって冷却されても、冷却された空気は排出口４０ａから排出されるので、ダクト４４内の温度は過剰に低下することはなく、野菜室４０の室温の過剰な低下が抑制される。
【００６２】
なおダクト４４に代えて、ヒータ４３又は真空断熱材を野菜室４０の底面に設けてもよい。またヒータ４３に代えて、野菜室４０の左側面に真空断熱材又はダクト４４を設けてもよい。真空断熱材は高い断熱性を有するので、ヒータ４３又はダクト４４と同様に、野菜室４０内の室温が過剰に低下することを防ぐことができる。野菜室４０の左側面にダクト４４を設ける場合には、ダクト４４に案内レール４２を形成するか、野菜室４０の左側面における案内レール４２以外の部分（案内レール４２よりも上側又は下側）にダクト４４を設ける。
【００６３】
なおダクト４４又は真空断熱材を使用した場合、ヒータ４３を使用する場合に比べて消費電力を削減することができる点で有利である。またヒータ４３に取り付ける配線を設置するための空間を、野菜室４０の壁面に確保する必要が無く、野菜室４０（縦断熱壁５、上断熱壁２、下断熱壁３及び内箱１ｂ）の構成を簡素化し、冷蔵庫１の製造工程、製造時間及び／又は製造費用の削減を図ることができる。
【００６４】
なお野菜室４０の上面、背面又は右側面にダクト４４、ヒータ４３又は真空断熱材を設けてもよい。
【００６５】
ヒータ４３を使用しない場合、ヒータ４３に接続されるコネクタも不要となる。コネクタは、従来、縦断熱壁５に形成した空間に配置されていたが、コネクタが不要となったので、その空間にも発泡断熱材を充填できるようになった。
【００６６】
また野菜室４０の壁面の内、三つ以上の壁面が冷凍室に隣接する場合、冷凍室に隣接する前記壁面全てにダクト４４、ヒータ４３又は真空断熱材を設けることによって、野菜室４０内の室温が過剰に低下することを防ぐことができる。
【００６７】
なお縦断熱壁５は、外箱１ａ及び内箱１ｂの間に発泡断熱材１ｃを注入した後、内箱１ｂ内に取り付けられている。縦断熱壁５の内部空間と外箱１ａ及び内箱１ｂの間の空間とが接続するように、縦断熱壁５を内箱１ｂに取り付けた後、発泡断熱材を注入することもできる。しかし縦断熱壁５と内箱１ｂとの接続部分が屈曲しているので、発泡断熱材１ｃ縦断熱壁５の内部空間に届き難く、断熱効率が悪化する。
【００６８】
縦断熱壁５の厚みを大きくすることによって、断熱効率は向上するが、野菜室４０内の容積が減ってしまう。そのため縦断熱壁５に薄型のダクト４４、ヒータ４３又は真空断熱材を設けることによって、野菜室４０内の容積を確保しつつ、断熱させることができる。特に、近年では、高断熱性を有する真空断熱材の厚みが薄くなってきており、真空断熱材を使用することによって、野菜室４０内の容積の確保し及び断熱を容易に両立させることができる。
【００６９】
（実施の形態２）
以下本発明を実施の形態２に係る冷蔵庫１を示す図面に基づいて説明する。図９はダクト４４の構成を略示する斜視図である。ダクト４４前部の左右側面に、複数の側面吸入口４４ｂが設けてある。前面吸入口４４ａのみならず、側面吸入口４４ｂをも設けることによって、ダクト４４内に吸入される空気に対する抵抗が低減し、空気が円滑にダクト４４に吸い込まれる。
【００７０】
実施の形態２に係る冷蔵庫１の構成の内、実施の形態１と同様な構成については同じ符号を付し、その詳細な説明を省略する。
【００７１】
（実施の形態３）
以下本発明を実施の形態３に係る冷蔵庫１を示す図面に基づいて説明する。図１０はダクト４４の構成を略示する斜視図である。ダクト４４前部の上面に複数の上面吸入口４４ｃが設けてある。前面吸入口４４ａのみならず、上面吸入口４４ｃをも設けることによって、ダクト４４内に吸入される空気に対する抵抗が低減し、空気が円滑にダクト４４に吸い込まれる。
【００７２】
なおダクト４４の上面において、上面吸入口４４ｃを設けた部分の温度は低下し易いが、ダクト４４前部に上面吸入口４４ｃを設けることによって、比較的温度の高い扉付近に上面吸入口４４ｃが位置するので、上面吸入口４４ｃを設けた部分の温度低下を抑制することができる。
【００７３】
温度低下を考慮すると、上面吸入口４４ｃは、ダクト４４の奥行寸法Ｌ１に対して３０〜５０％程度に相当する寸法Ｌ２の範囲に設けることが好ましい。またダクト４４の前部及び前部の左右側面に吸入口を更に設けてもよい。
【００７４】
実施の形態３に係る冷蔵庫１の構成の内、実施の形態１又は２と同様な構成については同じ符号を付し、その詳細な説明を省略する。
【００７５】
今回開示した実施の形態は、全ての点で例示であって、制限的なものではないと考えられるべきである。各実施例にて記載されている技術的特徴は互いに組み合わせることができ、本発明の範囲は、特許請求の範囲内での全ての変更及び特許請求の範囲と均等の範囲が含まれることが意図される。
【００７６】
以上の本発明の実施の形態に関し、更に以下の事項を開示する。
【００７７】
本発明に係る冷蔵庫１は、冷蔵室４０と、該冷蔵室４０に断熱壁３、５を介して隣接する複数の冷凍室１０、２０、３０とを備える冷蔵庫１であって、前記冷蔵室４０における前記冷凍室１０、２０、３０に隣接する複数の壁３、５夫々に前記冷凍室１０、２０、３０内の冷気による冷却を緩和する冷却緩和部４３、４４を設けてあることを特徴とする。
【００７８】
本発明に係る冷蔵庫１は、冷却器１２によって冷却された空気が循環する循環経路上に前記冷蔵室４０を配置してあり、前記冷却緩和部は、真空断熱材、ヒータ４３又は循環する空気が通流するダクト４４によって構成されていることを特徴とする。
【００７９】
本発明に係る冷蔵庫１は、前記ダクト４４の一面に空気を吸入する吸入口４４ａが設けてあり、前記吸入口４４ａの反対側にて、空気を排出する排出口４０ａが前記冷蔵室４０に設けてあることを特徴とする。
【００８０】
本発明に係る冷蔵庫１は、前記ダクト４４の前記一面に交差する他面に空気を吸入する第２の吸入口４４ｂ、４４ｃが設けてあることを特徴とする。
【００８１】
本発明に係る冷蔵庫１は、前記ダクト４４の内側にて、前記吸入口４４ａ及び排出口４０ａの間に空気を案内するリブ４５が延設してあることを特徴とする。
【符号の説明】
【００８２】
１  冷蔵庫
３  下断熱壁（断熱壁）
５  縦断熱壁（断熱壁）
１０  第１冷凍室（冷凍室）
１２  冷却器
２０  第２冷凍室（冷凍室）
３０  製氷室（冷凍室）
４０  野菜室（冷蔵室）
４０ａ  排出口
４３  ヒータ（冷却緩和部）
４４  ダクト（冷却緩和部）
４４ａ  前面吸入口（吸入口）
４４ｂ  側面吸入口（第２の吸入口）
４４ｃ  上面吸入口（第２の吸入口）
４５  リブ  
【図１】
0006489767.tif 000002
【図２】
0006489767.tif 000003
【図３】
0006489767.tif 000004
【図４】
0006489767.tif 000005
【図５】
0006489767.tif 000006
【図６】
0006489767.tif 000007
【図７】
0006489767.tif 000008
【図８】
0006489767.tif 000009
【図９】
0006489767.tif 000010
【図１０】
0006489767.tif 000011